(57)【要約】  患者に治療用ガスを経鼻供給するための鼻カニューレ（１０）であって、鼻カニューレは、分配管（２０）を備えた分配管部材（１２）を含んでおり、分配管は、仮想の、分配管の中央を貫通する分配軌道（Ｖ）に沿って延在しており、分配軌道（Ｖ）は長手方向を画定しており、分配管（２０）は、２つの分岐開口部（２６ｂ、２８ｂ）を有しており、分岐開口部（２６ｂ、２８ｂ）それぞれを始点として、患者に治療用ガスを供給するための供給管（２６、２８）がそれぞれ、分配管（２０）から分岐しており、分配管（２０）は、分岐開口部（２６ｂ、２８ｂ）に加えて、分岐開口部（２６ｂ、２８ｂ）と間隔を置いて配置された２つの連結開口部（２２、２４）を有しており、鼻カニューレ（１０）はストッパ（１４）を含んでおり、ストッパによって、両方の連結開口部（２２、２４）の内の一方が、ストッパ（１４）を通じた封止開口部（２２）として、ガスの貫流に関して封止可能であり、両方の連結開口部（２２、２４）の内の他方は、供給開口部（２４）として、ガス供給導管（１６、１８）を分配管（２０）に接続するように構成されている。本発明によると、ストッパ（１４）は、露出したフロー誘導面（４４）を備えたフロー誘導構造（４２）を有しており、フロー誘導面（４４）は、ストッパ（１４）が所定の通り封止開口部（２２）を封止するように鼻カニューレ（１０）に接して配置されている基準状態において、分配管（２０）内の、少なくとも１つの分岐開口部（２６ｂ、２８ｂ）の長手方向延在領域に配置されていると共に、前記フロー誘導面が分配管（２０）内で供給開口部（２４）から分配軌道（Ｖ）に沿って流れてくる治療用ガスを、分岐開口部（２６ｂ、２８ｂ）の内の少なくとも一方に向けて方向転換させるように、分配軌道（Ｖ）に対して傾斜していることが規定されている。
2022500149.tif 000002
【特許請求の範囲】
【請求項１】
患者に治療用ガスを経鼻供給するための鼻カニューレ（１０；１１０；２１０）であって、
前記鼻カニューレは、分配管（２０；１２０；２２０）を備えた分配管部材（１２；１１２；２１２）を含んでおり、
前記分配管は、仮想の、前記分配管の中央を貫通する分配軌道（Ｖ）に沿って延在しており、前記分配軌道（Ｖ）は長手方向を画定しており、前記分配管（２０；１２０；２２０）は、２つの分岐開口部（２６ｂ、２８ｂ；１２６ｂ、１２８ｂ；２２６ｂ、２２８ｂ）を有しており、前記分岐開口部（２６ｂ、２８ｂ；１２６ｂ、１２８ｂ；２２６ｂ、２２８ｂ）それぞれを始点として、患者に治療用ガスを供給するための供給管（２６、２８；１２６、１２８；２２６、２２８）がそれぞれ、前記分配管（２０；１２０；２２０）から分岐しており、前記分配管（２０；１２０；２２０）は、前記分岐開口部（２６ｂ、２８ｂ；１２６ｂ、１２８ｂ；２２６ｂ、２２８ｂ）に加えて、前記分岐開口部（２６ｂ、２８ｂ；１２６ｂ、１２８ｂ；２２６ｂ、２２８ｂ）と間隔を置いて配置された２つの連結開口部（２２、２４；１２２、１２４；２２２、２２４）を有しており、
前記鼻カニューレ（１０；１１０；２１０）はストッパ（１４；１１４；２１４）を含んでおり、
前記ストッパによって、両方の前記連結開口部（２２、２４；１２２、１２４；２２２、２２４）の内の一方が、前記ストッパ（１４；１１４；２１４）を通じた封止開口部（２２；１２２；２２２）として、ガスの貫流に関して封止可能であり、両方の前記連結開口部（２２、２４；１２２、１２４；２２２、２２４）の内の他方は、供給開口部（２４；１２４；２２４）として、ガス供給導管（１６、１８；１１６、１１８；２１６、２１８）を前記分配管（２０；１２０；２２０）に接続するように構成されている、鼻カニューレ（１０；１１０；２１０）において、
前記ストッパ（１４；１１４；２１４）が、露出したフロー誘導面（４４；１４４；２４４）を備えたフロー誘導構造（４２；１４２；２４２）を有しており、前記フロー誘導面（４４；１４４；２４４）は、前記ストッパ（１４；１１４；２１４）が所定の通り前記封止開口部（２２；１２２；２２２）を封止するように前記鼻カニューレ（１０；１１０；２１０）に接して配置されている基準状態において、前記分配管（２０；１２０；２２０）内の、少なくとも１つの前記分岐開口部（２６ｂ、２８ｂ；１２６ｂ、１２８ｂ；２２６ｂ、２２８ｂ）の長手方向延在領域に配置されていると共に、前記フロー誘導面が前記分配管（２０；１２０；２２０）内で前記供給開口部（２４；１２４；２２４）から前記分配軌道（Ｖ）に沿って流れてくる治療用ガスを、前記分岐開口部（２６ｂ、２８ｂ；１２６ｂ、１２８ｂ；２２６ｂ、２２８ｂ）の内の少なくとも一方に向けて方向転換させるように、前記分配軌道（Ｖ）に対して傾斜していることを特徴とする鼻カニューレ（１０；１１０；２１０）。
【請求項２】
前記フロー誘導面（４４；１４４；２４４）が、凹形の湾曲を有していることを特徴とする、請求項１に記載の鼻カニューレ（１０；１１０；２１０）。
【請求項３】
前記フロー誘導面（４４；１４４；２４４）が、前記分配軌道に直交する湾曲軸（Ｋ）の周りで、少なくとも部分的に凹形又は／及び凸形に湾曲していることを特徴とする、請求項２に記載の鼻カニューレ（１０；１１０；２１０）。
【請求項４】
前記フロー誘導面（１４４）が、前記分配軌道（Ｖ）に沿って延在する湾曲軸の周りでも、凹形に湾曲していることを特徴とする、請求項３に記載の鼻カニューレ（１１０）。
【請求項５】
前記鼻カニューレ（１０；１１０；２１０）が、コネクタ（１６；１１６；２１６）を有しており、前記コネクタは、前記ガス供給導管（１６、１８；１１６、１１８；２１６、２１８）の接続のために、前記供給開口部（２４；１２４；２２４）に挿入可能であり、前記コネクタ（１６；１１６；２１６）を通るガスフローを誘導する前記コネクタ（１６；１１６；２１６）の内側面（５２；１５２；２５２）は、所定の通り、動作可能な状態で前記鼻カニューレ（１０；１１０；２１０）に接して配置された場合に、前記フロー誘導面（４４；１４４；２４４）と共に、フローを誘導する連続的な面（５４；１５４；２５４）を形成することを特徴とする、請求項１から４のいずれか一項に記載の鼻カニューレ（１０；１１０；２１０）。
【請求項６】
前記ストッパ（１４；１１４；２１４）が形状接続構造を有し、前記コネクタが形状接続相手側構造を有し、前記形状接続構造と前記形状接続相手側構造とは、動作可能な状態において、好ましくは動作可能な状態においてのみ、互いに形状接続係合していることを特徴とする、請求項５に記載の鼻カニューレ（１０；１１０；２１０）。
【請求項７】
前記コネクタ（１６；１１６；２１６）が配置構造（６２；１６２；２６２）を有していること、及び、前記分配管部材（１２；１１２；２１２）が、前記供給開口部（２４；１２４；２２４）の領域において、配置相手側構造（６０；１６０；２６０）を有しており、前記配置構造（６２；１６２；２６２）と前記配置相手側構造（６０；１６０；２６０）とは、前記鼻カニューレ（１０；１１０；２１０）の動作可能な状態において、好ましくは動作可能な状態においてのみ、互いに形状接続係合していることを特徴とする、請求項５又は６に記載の鼻カニューレ（１０；１１０；２１０）。
【請求項８】
前記ストッパ（１４；１１４；２１４）が、方向付け構造（５８；１５８；２５８）を有していること、及び、前記分配管部材（１２；１１２；２１２）は、前記封止開口部（２２；１２２；２２２）の領域において、方向付け相手側構造（５６；１５６；２５６）を有しており、前記方向付け構造（５８；１５８；２５８）と前記方向付け相手側構造（５６；１５６；２５６）とは、前記鼻カニューレ（１０；１１０；２１０）の動作可能な状態において、好ましくは動作可能な状態においてのみ、互いに形状接続係合していることを特徴とする、請求項１から７のいずれか一項に記載の鼻カニューレ（１０；１１０；２１０）。
【請求項９】
両方の前記連結開口部（２２、２４；１２２、１２４；２２２、２２４）が、両方の前記連結開口部（２２、２４；１２２、１２４；２２２、２２４）のいずれもが前記封止開口部（２２；１２２；２２２）でも前記供給開口部（２４；１２４；２２４）でもあり得るという点において、同じように構成されていることを特徴とする、請求項１から８のいずれか一項に記載の鼻カニューレ（１０；１１０；２１０）。
【請求項１０】
前記ストッパ（２１４）が、前記基準状態において、前記封止開口部（２２２）に近い方の前記分岐開口部（２２６ｂ）を少なくとも部分的に封止していることを特徴とする、請求項１から９のいずれか一項に記載の鼻カニューレ（２１０）。
【請求項１１】
前記フロー誘導構造（１４２）が、前記供給開口部（１２４）から前記分配軌道（Ｖ）に沿って流れてくる治療用ガスを前記分岐開口部（１２６ｂ、１２８ｂ）の内の一方の分岐開口部（１２６ｂ）へ方向転換する第１のフロー誘導構造（１４２）であり、前記ストッパ（１１４）は、第２のフロー誘導面（１６６）を備えた第２のフロー誘導構造（１６４）を有しており、前記第２のフロー誘導構造は、前記分配管（Ｖ）に沿って、前記第１のフロー誘導構造（１４２）から間隔を置いて配置されており、前記基準状態において、前記供給開口部（１２４）から前記分配軌道（Ｖ）に沿って流れてくる治療用ガスを、それぞれ他方の前記分岐開口部（１２８ｂ）へ方向転換することを特徴とする、請求項１から１０のいずれか一項に記載の鼻カニューレ（１１０）。
【請求項１２】
前記第２のフロー誘導構造（１６４）が、前記分配管（１２０）の部分横断面にわたってのみ延在しており、前記第２のフロー誘導構造の延在領域では、前記分配軌道（Ｖ）に沿って流れてくる治療用ガスを、それぞれ他方の前記分岐開口部（１２８ｂ）に方向転換させ、前記第２のフロー誘導構造の延在領域の外側では、前記分配管（１２０）と共に、前記第２のフロー誘導構造（１６４）の側を通り、前記第１のフロー誘導面（１４４）に向かう治療用ガスフローのための貫流開口部（１６８）を形成しており、前記貫流開口部を通って、前記供給開口部（１２４）から流れてくる治療用ガスの一部が、前記第１のフロー誘導構造（１４２）に向かって流れることができることを特徴とする、請求項１１に記載の鼻カニューレ（１１０）。
【請求項１３】
前記第２のフロー誘導構造（１６４）が、前記分配軌道（Ｖ）の周りの所定の、複数の互いに間隔を置いて位置している部分角度領域から任意で形成された角度領域を越えて、前記分配管（１２０）の内壁に接していることを特徴とする、請求項１１又は１２に記載の鼻カニューレ（１１０）。
【請求項１４】
治療用ガスが貫流可能である前記貫流開口部（１６８）の横断面面積が、前記貫流開口部（１６８）の位置における前記分配管（１２０）の横断面面積の半分よりも大きいか、又は、小さいことを特徴とする、請求項１２に記載、又は、請求項１２及び１３に記載の鼻カニューレ（１１０）。
【請求項１５】
前記分配管部材（１２；１１２；２１２）が、前記ストッパ（１４；１１４；２１４）又は／及び前記コネクタ（１６；１１６；２１６）の材料よりも低い弾性係数を有する材料から形成されており、これによって、前記分配管部材（１２；１１２；２１２）は、前記ストッパ（１４；１１４；２１４）又は／及び前記コネクタ（１６；１１６；２１６）から成る挿入部材の前記分配管部材（１２；１１２；２１２）への挿入の際に、前記挿入部材それぞれによって変形可能であることを特徴とする、請求項１から１４のいずれか一項に記載の鼻カニューレ（１０；１１０；２１０）。
【請求項１６】
両方の前記連結開口部（２２、２４；１２２、１２４；２２２、２２４）が、前記分配管（２０；１２０；２２０）のそれぞれ反対の長手方向端部に位置しており、好ましくは、前記分配軌道（Ｖ）は、両方の前記連結開口部（２２、２４；１２２、１２４；２２２、２２４）の間を直線状に延在しており、好ましくは付加的又は代替的に、両方の前記分岐開口部（２６ｂ、２８ｂ；１２６ｂ、１２８ｂ；２２６ｂ、２２８ｂ）は、前記連結開口部（２２、２４；１２２、１２４；２２２、２２４）の間で中央に位置していることを特徴とする、請求項１から１５のいずれか一項に記載の鼻カニューレ（１０；１１０；２１０）。
【請求項１７】
請求項１から１６のいずれか一項に記載の鼻カニューレ（１０；１１０；２１０）と、少なくとも２つの前記ストッパ（１４；１１４；２１４）と、を含む鼻カニューレ治療用キットであって、前記ストッパが、第１のフロー誘導構造（４２；１４２；２４２）若しくは／及び第２のフロー誘導構造（１６４）の長さにおいて、又は／並びに、第１のフロー誘導面（４４；１４４；２４４）若しくは／及び第２のフロー誘導面（１６６）の形状において、又は／並びに、前記第２のフロー誘導構造（１６４）と前記分配管（１２０）とから形成された、前記第２のフロー誘導構造（１６４）の側を通る治療用ガスフローのための貫流開口部（１６８）の大きさ若しくは／及び形状において異なっている鼻カニューレ治療用キット。
【発明の詳細な説明】
【技術分野】
【０００１】
本出願は、患者に治療用ガスを経鼻供給するための鼻カニューレに関するものであり、当該鼻カニューレは、分配管を備えた分配管部材を含んでおり、分配管は、仮想の、分配管の中央を貫通する分配軌道に沿って延在しており、分配軌道は長手方向を画定しており、分配管は、２つの分岐開口部を有しており、各分岐開口部を始点として、患者に治療用ガスを供給するための供給管がそれぞれ、分配管から分岐しており、分配管は、分岐開口部に加えて、当該分岐開口部と間隔を置いて配置された２つの連結開口部を有しており、鼻カニューレはストッパを含んでおり、当該ストッパによって、両方の連結開口部の内の一方が、ストッパを通じた封止開口部として、ガスの貫流に関して封止可能であり、両方の連結開口部の内の他方は、供給開口部として、ガス供給導管を分配管に接続するように構成されている。
【背景技術】
【０００２】
このような鼻カニューレは、特許文献１から知られている。この既知の鼻カニューレの大きな利点は、両方の連結開口部の内のいずれにストッパを挿入するか、及び、両方の連結開口部の内のいずれにガス供給導管を接続するかに応じて、両方の連結開口部のいずれもが、供給開口部及び封止開口部であり得ることにある。従って、既知の鼻カニューレは、身体の両側のいずれが、それぞれの患者の状況に依存した治療用ガスの供給に関して有利であるかに応じて、患者の身体の右側又は左側から、治療用ガスを患者に供給することを可能にする。ストッパは、ガスの供給には不要である連結開口部を封止するために用いられ、これによって、治療用ガスの分配管からの望ましくない流出が回避される。そうでなければ、治療用ガスは、分岐開口部から流出せず、従って、患者に到達しないであろう。
【０００３】
ストッパとガス供給導管とを連結するように、既知の分配管部材に連結開口部を、十分確実に構成することを可能にするために、分配管部材は、分岐開口部の両側において分配軌道に沿って、比較的長い区間にわたって延在している。既知の鼻カニューレの欠点は、ストッパによって封止開口部として用いられる連結開口部と分岐開口部との間の領域に、比較的大きい死腔が形成されており、当該死腔内では、患者に供給する際の治療用ガスが、制御されずに流れ、旋回し、これによって、分岐開口部において不利なことに予測不可能である、ガス流出状況が生じることにある。
【先行技術文献】
【特許文献】
【０００４】
【特許文献１】米国特許第３７５４５５２号明細書
【発明の概要】
【発明が解決しようとする課題】
【０００５】
従って、本出願の課題は、冒頭に挙げた鼻カニューレを改善し、それによって、封止開口部として用いられる連結開口部内でのストッパの使用にも関わらず、分配管内のフロー状況が従来よりも明確に形成され、従って、一方では分配管内でのフロー損失が減少し、他方では分岐開口部を通過し、患者に向かう治療用ガスの明確な流出が行われるようにすることにある。
【課題を解決するための手段】
【０００６】
本発明によると、本課題は、冒頭に挙げた種類の鼻カニューレによって解決される。当該鼻カニューレでは、ストッパが、露出したフロー誘導面を備えたフロー誘導構造を有しており、フロー誘導面は、ストッパが所定の通り封止開口部を封止するように鼻カニューレに接して配置されている基準状態において、分配管内の、少なくとも１つの分岐開口部の長手方向延在領域に配置されていると共に、フロー誘導面が分配管内で供給開口部から分配軌道に沿って流れてくる治療用ガスを、分岐開口部の内の少なくとも一方に向けて方向転換させるように、分配軌道に対して傾斜している。
【０００７】
本出願において、個々の事例に関して異なる記載がなされない限り、本出願の鼻カニューレは、上述の基準状態にあるものとして記載される。
【０００８】
基準状態において供給開口部から流れてくる治療用ガスに対向し、治療用ガスによって湿らされ得るフロー誘導構造の露出したフロー誘導面は、供給開口部から流れてくる治療用ガスを、可能な限り無損失に、分岐開口部に向かって方向転換させることが可能であり、分岐開口部の長手方向延在領域には、フロー誘導面が配置されている。当該方向転換機能を実現するために、フロー誘導面は、分配軌道に対して傾斜しており、すなわち、分配軌道は、フロー誘導面と角度を形成している。最も単純な場合では、フロー誘導面は、平らな、又は、少なくとも部分的に平らな面であり得る。しかしながら、治療用ガスフローの特に無損失な方向転換に関しては、フロー誘導面は、少なくとも部分的に湾曲した面であることが好ましい。フロー誘導面は、その長手方向延在部分全体に沿って、分配軌道に沿って湾曲して構成されてもよい。
【０００９】
一般的には、まず分配軌道に沿って流れている治療用ガスフローを、分岐開口部に向かって約９０°、つまり略直角に方向転換させることが望ましい。可能な限り無損失の方向転換のためには、フロー誘導面が凹形の湾曲を有していると有利である。分配管部材内での治療用ガスフローの可能な限り無損失の方向転換のためには、可能な限り連続的に湾曲したフロー誘導面が有利であり、従って、フロー誘導面は、好ましくはその延在部分の長さ全体にわたって、凹形の湾曲を有し得る。分配軌道から分岐開口部への９０°の方向転換を実現するために、フロー誘導面は、好ましくは、分配軌道に直交する湾曲軸の周りで、少なくとも部分的に、凹形に湾曲している。
【００１０】
フロー誘導面は、両方の分岐開口部において、可能な限り均一な治療用ガス質量流を供給するために、異なって湾曲した部分を有してもよい。分岐開口部は、一般的に、フロー誘導面に対して異なる距離を有するので、両方の分岐開口部において同じ値の質量流を得ることは難しいが、好ましい発展形態によると、例えば、フロー誘導面が分配軌道に沿って２つの凹形に湾曲した部分を有し、当該部分が当該部分の間に凸形に湾曲した部分を有することによって得られる。好ましくは、フロー誘導面は当該部分のみを有し、当該部分から構成されている。このように数回異なるように湾曲したフロー誘導面は、好ましくは、それぞれの部分において、分配軌道に直交する湾曲軸の周りで湾曲している。分配管の幅方向において、すなわち分配軌道に直交しては、フロー誘導面は好ましくは湾曲していない。
【００１１】
フロー誘導面が、上述の分配軌道に直交する湾曲軸の周りで湾曲している場合も、フロー誘導面が、例えば角度を有して角を形成しながら分配管の壁面に合流するのであれば、分配管の壁近くの領域には、渦が形成され得る。このような望ましくない渦の形成を回避するために、本発明の好ましいさらなる発展形態によると、分配軌道に直交する湾曲軸の周りで凹形に湾曲したフロー誘導面は、分配軌道に沿って延在する湾曲軸の周りでも湾曲していることが規定されている。好ましくは、当該フロー誘導面は、凹形に湾曲した平面領域のみを有しているが、凸形に湾曲した平面領域は有していない。
【００１２】
基本的に、治療用ガスは、自由流において分岐開口部を通過した直後に、分配管部材から鼻カニューレを装着した患者に向かって、分岐開口部から流出し得る。しかしながら、一般的に、分配管は、ある程度の距離を置いて、鼻孔によって担持される。治療用ガスを効果的に供給するために、鼻カニューレは、供給管を有しており、当該供給管は、分岐開口部を始点として分配管部材から突出している。供給管は、治療の際、患者の鼻孔に達するか、又は、鼻孔を通って、さらに鼻腔内へ延在することさえある。各分岐開口部を、それぞれ１つの供給管が始点としている。これらの供給管は、同一に構成されているか、又は、分岐開口部の間の分配軌道を直交して切断する対称軸に対して鏡面対称に構成されてもよい。
【００１３】
フロー誘導面は、その時々の封止開口部に近い方の分岐開口部の、少なくとも長手方向延在領域に、つまり分配軌道に沿った延在領域に延在している。これによって、フロー誘導面が治療用ガスフローを、少なくとも封止開口部に近い方の分岐開口部の方へ、効果的かつ意図的に方向転換させ得ることが保証され得る。しかしながら、フロー誘導面が、その時々の封止開口部から離れた方の分岐開口部の長手方向延在領域内にも延在するか、又は、当該長手方向延在領域を完全に越えて延在することを排除すべきではない。この場合、供給開口部から分配軌道に沿って流れてくる治療用ガスフローの、分配管の長い領域を通じた、円滑で、わずかな損失での方向転換が得られる。
【００１４】
フロー誘導面の、それぞれ分配軌道に直交する湾曲軸の周りでの少なくとも部分的に凹形又は／及び凸形の湾曲は、その延在部分に沿って、値を変化させ得る。好ましくは、フロー誘導面の凹形に湾曲した部分の、分配軌道に直交する湾曲軸の周りでの凹形の湾曲は、割り当てられた分岐開口部へ近づくにつれて増大する。すなわち、上述の湾曲軸を始点とする曲率半径は、フロー誘導面が、フロー誘導面に割り当てられた分岐開口部に近づくにつれて小さくなっていく。
【００１５】
分配管部材の分配管に治療用ガスを導入するために、鼻カニューレは、好ましくはコネクタを有しており、当該コネクタは、ガス供給導管の接続のために、供給開口部に挿入され得る。分配管内において、又は、治療用ガスフローを分配管部材内で誘導する壁面に沿って渦を形成する段を回避するために、本発明の好ましいさらなる発展形態によると、コネクタを通るガスフローを誘導するコネクタの内側面は、所定の通り、動作可能な状態で鼻カニューレに接して配置された場合に、ストッパのフロー誘導面と共に、フローを誘導する連続的な面を形成することができる。コネクタの内側面とフロー誘導面との結合箇所では、不可避の接合部が生じるが、内側面とフロー誘導面とが、共通の、接合部を越えて同一平面上の、フローを誘導する面を形成する場合、当該接合部において渦は発生しない。共通の、フローを誘導する連続的な面は、好ましくは、上述の接合部において段差及び折れ目を有さない。
【００１６】
ストッパ及びコネクタの互いに対する正しい配置を容易にするために、本発明のさらなる発展形態によると、ストッパが形状接続構造を有し、コネクタが形状接続相手側構造を有し、形状接続構造と形状接続相手側構造とは、動作可能な状態において、互いに形状接続係合していることが規定され得る。ストッパ及びコネクタは、その分配軌道に関して動作可能な状態において径方向外側の外側面に、先細の円錐形又は円筒形の外壁を有しているが、その径方向内側の内側面には、フローを径方向外側に向かって限定する、円形の横断面は有さない内壁を有し得る。上述のフローを誘導する連続的な面が、コネクタの内側面及びフロー誘導面によって共に形成されるべき場合、特に、ストッパ及びコネクタの互いに対する正しい相対的な配置が重要である。この正しい相対的な配置は、上述の形状接続構造と形状接続相手側構造とによって、確実に得られる。コネクタとストッパとを互いに対して相対的に誤って配置することが、動作可能状態において排除されているということを確実化するために、形状接続構造と形状接続相手側構造とは、好ましくは動作可能な状態においてのみ、互いに形状接続係合している。
【００１７】
形状接続構造と形状接続相手側構造とは、好ましくは、鍵と鍵穴モデルに従って構成されている。このために、形状接続構造及び形状接続相手側構造の内の一方の構造は、突起を有し、それぞれ他方の構造は、凹所を有していてよく、当該凹所には、コネクタとストッパとが互いに対して相対的に正しく方向付けられている場合、特にその分配軌道を中心とする角度方向に関して、互いに対して相対的に正しく方向付けられている場合にのみ、突起が挿入され得る。
【００１８】
形状接続構造及び形状接続相手側構造によって、コネクタ及びストッパの互いに対する相対的な回転防止が得られる。形状接続係合が形成された場合、ストッパとコネクタとの互いに対する相対的な回転は防止される。
【００１９】
形状接続係合は、一般的に、分配管部材内に、具体的には分配管部材内の看護師又は治療中の医師からは見えない場所に形成されるので、片方の構造又は両方の構造は、形状接続係合の形成のための挿入補助を有し得る。形状接続構造及び形状接続相手側構造の内、突起を有する方の構造は、自由に張り出した端部に向かって先細になってもよい。付加的又は代替的に、突起を受容する凹所が、それぞれ形状接続構造及び形状接続相手側構造の内の他方の構造として、挿入長手方向端部から突起の挿入方向において先細に構成されてもよい。
【００２０】
ストッパ及びコネクタの相対的な配置のみが、本明細書で議論される鼻カニューレの正しい機能にとって有利なのではなく、コネクタの分配管部材に対する正しい位置も有利である。分配管部材に対するコネクタの正しい位置は、コネクタが配置構造を有していること、及び、分配管部材が、供給開口部の領域において、配置相手側構造を有しており、配置構造と配置相手側構造とは、動作可能な状態において、互いに形状接続係合していることによって得られる。当該形状接続係合は、コネクタ及び分配管部材の、特に分配軌道周囲に形成された正確な相対配置からの、互いに対する変位を防止する。
【００２１】
やはり、コネクタ及び分配管部材の誤った配置を排除するために、上述の配置構造と配置相手側構造との間の形状接続係合が、鼻カニューレの動作可能な状態においてのみ存在する、又は、動作可能な状態をもたらす鼻カニューレの取り付けに際してのみ形成可能であることが好ましい。配置構造及び配置相手側構造のあり得る構成に関しては、形状接続構造及び形状接続相手側構造に関する上述の記載が、形状接続構造に関する記載が配置構造に関して適用されること、及び、形状接続相手側構造に関する記載が配置相手側構造に関して適用されることを条件として、対応して適用される。従って、配置構造及び配置相手側構造の内の一方の構造が突起を有し、それぞれ他方の構造が凹所を有し得る。
【００２２】
分配管部材は、コネクタを一般的には径方向外側において包囲し、又は／及び、比較的薄壁に構成されているので、好ましくは、分配管部材は突起を、コネクタは凹所を有している。形状接続構造及び形状接続相手側構造の内の一方の構造は、好ましくは突起を支持する構造から分配軌道に対して平行に張り出している突起であるが、他方、配置構造及び配置相手側構造の内の一方の構造の突起は、好ましくは径方向突起であり、当該径方向突起は、分配軌道に向かって突出しているか、又は、分配軌道から離れて、当該径方向突起を支持する部材から突出していることも同じく可能である。これに対応して、それぞれ他方の構造の凹所も、径方向凹所である。突起は、分配軌道に沿った挿入補助である径方向突起として、減少していく径方向高さ、又は／及び、分配軌道の周りの周方向において測定されるべき、減少していく突起幅を有するように構成されてもよい。
【００２３】
ストッパも分配管部材に対して正しく配置するために、ストッパは、方向付け構造を有し得る。同様に、分配管部材は、封止開口部の領域において、方向付け相手側構造を有することが可能であり、方向付け構造と方向付け相手側構造とは、動作可能な状態において、上述の理由から好ましくは動作可能な状態においてのみ、互いに形状接続係合している。
【００２４】
ストッパもコネクタも、通常は、軸方向に、つまり分配軌道に沿って分配管部材に挿入されるか、又は、コネクタの場合は、分配管部材の上に留められるので、分配管部材に対するストッパ及びコネクタの共通の配置運動ゆえに、配置構造及び配置相手側構造に関する記載は、同様に方向付け構造及び方向付け相手側構造に関して、配置構造に関する記載が、方向付け構造に当てはまり、配置相手側構造に関する記載が方向付け相手側構造に当てはまるという条件で適用される。これは、形状接続構造に関する記載が方向付け構造に当てはまり、形状接続相手側構造に関する記載が方向付け相手側構造に当てはまることも含んでいる。両方の構造の内の一方は突起であり、それぞれ他方の構造は、当該突起を形状接続係合において受容する凹所であり得る。これによって、分配管部材に対するストッパの回転防止が、分配軌道の周りでの分配管部材に対する回転に対するコネクタの回転防止と同じように形成され得る。
【００２５】
鼻カニューレを使用している患者に、治療状況に応じて選択的に、患者の身体のいずれの側からでも治療用ガスを供給できるようにするために、本発明のさらなる発展形態によると、両方の連結開口部は、少なくとも両方の連結開口部のいずれもが封止開口部でも供給開口部でもあり得るという点において、同じように構成されている。少なくとも連結開口部を有する分配管の長手方向端部領域は、鏡面対称に構成されてもよい。
【００２６】
ストッパ又は／及びコネクタの配置が、連結開口部のいずれにおいても等しく、分配管における異なるフロー状況をもたらさないようにするために、ストッパ又は／及びコネクタは、そのそれぞれの長手軸を含む対称面に関して、好ましくは鏡面対称に構成されている。基準状態では、分配軌道は、少なくともストッパの対称面におけるフロー誘導面の配置領域に存在する。対応して、コネクタに関しては、少なくともコネクタのガス流出端部で、分配軌道が対称面に位置していることが適用される。
【００２７】
多くの治療事例において、患者への治療用ガスの非対称な供給が望まれている。治療用ガスは、分配管部材に、ガス供給部を通じて、供給開口部の位置でのみ導入されるので、分配管部材内部又は／及び供給管内における治療用ガスの非対称な分配が、存在する場合は、もたらされなければならない。
【００２８】
先行技術からはすでに、治療用ガスを、鼻カニューレを始点として非対称に、すなわち時間単位当たり異なる量で、患者の各鼻孔に放出するための手段が知られている。例えば、異なる長さ又は／及び異なるフロー断面を有する供給管を用いることが知られている。しかしながら、この、供給管において実現された、患者の両方の鼻孔において治療用ガスを量的に不均等に分配するための手段は、患者との生理的な反作用の状態にあるという欠点を有している。患者は、おそらく、２つの異なる長さの供給管の内の長い方の供給管、又は／及び、より大きな開口部横断面を有する供給管を、その鼻腔内で知覚するであろう。この知覚は、治療の間に不快なものになり、治療の成功を危うくする可能性がある。
【００２９】
これに対して、本発明は、患者に治療用ガスを時間単位当たり異なる量で供給する、又は、異なって若しくは非対称に構成された供給管を必要とせずに、分岐開口部を通って治療用ガスが流れるようにする可能性を提供する。従って、好ましくは鏡面対称に配置された供給管を有する鼻カニューレは、異なる大きさの治療用ガス質量流の分配にも用いられ得る。対称に構成された供給管の、供給管対称面は、分岐開口部の間の距離の半分で、分配管軌道を直交して切断する面である。
【００３０】
このような両方の分岐開口部を通じた異なる治療用ガス質量流の分配は、本発明の特に好ましいさらなる発展形態によると、ストッパが、動作可能な状態で封止開口部内に配置されている状態において、封止開口部に近い方の分岐開口部を少なくとも部分的に封止することによって得られる。
【００３１】
好ましくは、分岐開口部は同じ大きさに、又は、上述した供給管鏡面対称面に関して鏡面対称に、しかしながら好ましくは同じ開口部横断面を有するように構成されており、それによって、基本的に、両方の分岐開口部を通じた、値としては同じ大きさである治療用ガス質量流の分配が可能なだけではなく、封止開口部と供給開口部との交換も、分岐開口部を通る、値としては同じ大きさである治療用ガス質量流をもたらすが、それぞれ交換前とは異なる分岐開口部においてである。
【００３２】
供給開口部から流れてくる治療用ガスを分岐開口部の方へ方向転換させ、この際に所望の通り、両方の分岐開口部を通る、量的に異なる治療用ガス質量流をもたらす内側のフロー誘導面を、分配管内に有する鼻カニューレの当該態様は好ましいので、出願人は、患者に治療用ガスを経鼻供給するための鼻カニューレに関する特許権を得るよう努めることを決定した。当該鼻カニューレは、分配管を備えた分配管部材を含んでおり、分配管は、仮想の、分配管の中央を貫通する分配軌道に沿って延在しており、分配軌道は長手方向を画定しており、分配管は、２つの分岐開口部を有しており、各分岐開口部を始点として、患者に治療用ガスを供給するための供給管がそれぞれ、分配管から分岐しており、分配管は、分岐開口部に加えて、当該分岐開口部と間隔を置いて配置された供給開口部を有しており、供給開口部は、ガス供給導管を分配管に接続するように構成されており、鼻カニューレは、分配管内で露出したフロー誘導面を備えたフロー誘導構造を有しており、フロー誘導面は、分配管内で、少なくとも１つの分岐開口部の長手方向延在領域に配置されていると共に、フロー誘導面が分配管内で供給開口部から分配軌道に沿って流れてくる治療用ガスを、分岐開口部の内の少なくとも一方に向けて方向転換させるように、分配軌道に対して傾斜しており、フロー誘導面が分配軌道に沿って延在する先の分岐開口部は、それぞれ他方の分岐開口部よりも小さい開口部横断面面積を有している。
【００３３】
このような鼻カニューレは、２つ割りにした構造を有することが可能であり、これらの半分の部分は、互いに対して可動であるように形成され、鼻カニューレを構成するように組み立てられ得る。冒頭に挙げた鼻カニューレとは異なり、ストッパを有さず、フロー誘導面が変位不可能に、分配管の境界壁として設けられている当該鼻カニューレは、部分的にストッパによって封止された分岐開口部を有する鼻カニューレと同じ効果を得る。つまり、両方の分岐開口部の内の一方が、より小さい開口部横断面面積を有しているので、より小さい開口部横断面面積を有する分岐開口部（ストッパが設けられた鼻カニューレの場合は、部分的に封止された分岐開口部である）を通って、時間単位当たりに、より大きな開口部横断面面積を有する他方の分岐開口部を通るよりも少ない量の治療用ガスが流出する。
【００３４】
供給開口部から流れてくる治療用ガスの、両方の分岐開口部への方向転換を支援するために、本発明のさらなる発展形態では、上述のフロー誘導構造は、供給開口部から分配軌道に沿って流れてくる治療用ガスを分岐開口部の内の一方へ方向転換する第１のフロー誘導構造であってよく、ストッパは、第２のフロー誘導面を備えた第２のフロー誘導構造を有しており、第２のフロー誘導構造は、分配管に沿って、第１のフロー誘導構造から間隔を置いて配置されており、基準状態において、供給開口部から分配軌道に沿って流れてくる治療用ガスを、それぞれ他方の分岐開口部へ方向転換する。
【００３５】
第１及び第２のフロー誘導面は、好ましくは、つながった誘導面を形成していないので、これらのフロー誘導面は、好ましくは、１つかつ同一の誘導面の部分ではない。
【００３６】
第１のフロー誘導面を備えた第１のフロー誘導構造の構造的な態様に関する上述の記載は、第２のフロー誘導面を備えた第２のフロー誘導構造に関しても適用される。特に、第２のフロー誘導面は、第１のフロー誘導面と同様に、上述の湾曲軸の内の少なくとも１つの周りで凹形に湾曲していてよく、これによって、分配軌道に沿って、流れてくる治療用ガスが、その分岐開口部に向かって方向転換する。好ましくは、第２のフロー誘導面は、第１の誘導面よりも値として小さく、好ましくは、第２のフロー誘導面は、１つのみ又は２つの互いに直交する湾曲軸の周りで凹形に湾曲している。これは、治療中の、分配管内の望ましくない騒音の発生を回避する。
【００３７】
供給開口部から分配軌道に沿って流れてくる治療用ガスフローに関して、第１のフロー誘導構造の上流に配置された第２のフロー誘導構造は、第１のフロー誘導構造に向かう治療用ガスフローにとっては、流れの妨げとなる。従って、具体的な構造的態様において、第２のフロー誘導構造は、分配管の部分横断面にわたってのみ延在可能であり、その延在領域では、分配軌道に沿って流れてくるガスフローを、それぞれ他方の分岐開口部に方向転換させ、基準状態において、その延在領域の外側で、分配管と共に、第２のフロー誘導構造の側を通り、第１のフロー誘導面に向かう治療用ガスフローのための貫流開口部を形成することができる。当該貫流開口部を通って、供給開口部から流れてくる治療用ガスの一部が、第１のフロー誘導構造に向かって流れることができる。
【００３８】
第２のフロー誘導面による、一部の治療用ガスフローの、それぞれ他方の分岐開口部への可能な限り効果的な方向転換をもたらすためには、第２のフロー誘導構造が、分配軌道の周りの所定の角度領域を越えて、分配管の内壁に接していると有利である。この場合、少なくとも当該角度領域では、第２のフロー誘導構造、特に第２のフロー誘導面と分配管の内壁との間に、隙間は存在しない。このような隙間は望ましくない。なぜなら、治療用ガスが、第２のフロー誘導面によってそれぞれ他方の分岐開口部に方向転換される代わりに、隙間を通って流れることができるからである。当該角度領域は、例えば角度領域がそれぞれ他方の分岐開口部を越えて延在する場合、複数の互いに間隔を置いて配置された部分角度領域から形成されていてよく、当該角度領域では、それぞれ他方の分岐開口部ゆえに分配管の内壁が存在しない。従って、第２のフロー誘導構造も、第２のフロー誘導構造に割り当てられたそれぞれ他方の分岐開口部を少なくとも部分的に覆うことが可能であり、これによって、分配管内の治療用ガスフローが所定の場合に、それぞれ他方の分岐開口部を通って流れる治療用ガス質量流は、量に関して影響を受ける。
【００３９】
両方の分岐開口部を通る、又は／及び、供給管から出る、値の異なる治療用ガス質量流が望ましい場合、当該治療用ガス質量流は、分岐開口部を部分的に覆うという上述の手段に加えて、又は、上述の手段に対して代替的に、治療用ガスが貫流可能である貫流開口部の横断面面積が、貫流開口部の位置における分配管の横断面面積の半分よりも大きいか、又は、小さいということによっても得られる。
【００４０】
好ましくは、貫流開口部は、貫流開口部の位置における分配管の横断面面積の７０％よりも大きいか、又は、分配管の横断面面積の３０％よりも小さく、これによって、両方の分岐開口部を通過する、明らかに量的に異なる治療用ガス質量流が形成される。
【００４１】
上述したような第２のフロー誘導構造の構成は、例えば鼻カニューレが、２つの鼻カニューレ部材から射出成形で製造されるのであれば、上述したようなストッパを有さない鼻カニューレにおいても実現可能である。
【００４２】
冒頭に挙げたストッパを有する鼻カニューレは、分配管部材が、ストッパ又は／及びコネクタの材料よりも低い弾性係数を有する材料から形成されている場合、特に容易に、動作可能な状態に移行できるので、分配管部材は、ストッパ又は／及びコネクタから成る挿入部材の分配管部材への挿入の際に、それぞれの挿入部材によって変形可能である。
【００４３】
本発明の好ましいさらなる発展形態によると、供給開口部として用いられる連結開口部へのコネクタの可能な限り容易な接続を可能にするために、両方の連結開口部は、分配管のそれぞれ反対の長手方向端部に位置している。好ましくは、分配軌道は、両方の連結開口部の間を直線状に延在しており、これによって、望ましくない方向転換による損失と騒音の形成とが回避される。付加的又は代替的に、両方の分岐開口部は、長手方向において、連結開口部間の中央に位置しており、これによって、いずれの連結開口部が供給開口部として選択されているかとは無関係に、その他の動作条件が同じであれば、分配管内に、同じではあるが左右逆のフロー状況が形成される。
【００４４】
本発明はさらに、鼻カニューレ治療用キットにも関しており、当該キットは、上述したような鼻カニューレと、少なくとも２つ、又は、好ましくは２つよりも多くのストッパとを含んでおり、当該ストッパは、第１若しくは／及び第２のフロー誘導構造の長さにおいて、又は／並びに、第１若しくは／及び第２のフロー誘導面の形状において、又は／並びに、第２のフロー誘導構造と分配管とから形成された、第２のフロー誘導構造の側を通る治療用ガスフローのための貫流開口部の大きさ若しくは／及び形状において異なっている。
【００４５】
鼻カニューレ治療用キットでは、唯一の分配管部材と少なくとも２つ、好ましくは多数のストッパとを用いて、鼻カニューレが、利用可能である多数のストッパから、そのフロー条件に関して、それぞれ用いられるストッパを選択することによって、それぞれの治療事例に対して個別に適応可能である。ストッパが上述のように異なっていること、例えばストッパの長さが異なること、を通じて、分岐開口部がストッパによって、又は、フロー誘導構造によって覆われる程度が変更され得る。付加的又は代替的に、フロー誘導面の形状に関するストッパの選択によって、流れてくる治療用ガスの、それぞれフロー誘導面に割り当てられた分岐開口部への方向転換を変更することができる。
【００４６】
さらに、付加的又は代替的に、異なる貫流開口部を有する複数のストッパからのストッパの選択によって、両方の分岐開口部に供給される治療用ガスのフロー割合を変更することができる。従って、鼻カニューレは、複数のストッパからのストッパの選択によって、非常に容易に、非常に多くの異なる治療処置に適応することができる。
【００４７】
以下に、添付の図面を用いて、本発明を詳細に説明する。示されているのは以下の図である。
【図面の簡単な説明】
【００４８】
【図１】本発明に係る鼻カニューレの第１の実施形態の概略的な分解図である。
【図２】図１に係る実施形態の概略的な縦断面図であり、切断面が分配軌道を含む縦断面図である。
【図３】図２に係る鼻カニューレとは異なるストッパを備えた、本発明に係る鼻カニューレの第２の実施形態の、図２の図に対応する縦断面図である。
【図４】さらに異なるストッパを備えた、本発明に係る鼻カニューレの第３の実施形態の、図２及び図３の図に対応するさらなる縦断面図である。
【図５】第１の実施形態に係るストッパの底面図を伴う、部分的に断面を示した分配管部材の斜視図である。
【発明を実施するための形態】
【００４９】
図１では、本発明に係る鼻カニューレの第１の実施形態が、全体として参照符号１０で示されている。鼻カニューレ１０は、分配管部材１２とストッパ１４とコネクタ１６とを含んでいる。通常の動作条件下では、分配管部材１２に背向するコネクタ１６の長手方向端部１６ｂに、供給ホース１８を取り付けることが可能であり、特に螺合可能である。
【００５０】
分配管部材１２は、分配軌道Ｖに沿って延在する分配管２０を有している。分配管部材１２の分配軌道Ｖに関してそれぞれ反対の軸方向長手方向端部には、それぞれ連結開口部２２又は２４が形成されており、当該連結開口部を通過して、分配管２０がアクセス可能である。分配管部材１２からは、２つの供給管２６及び２８が分岐しており、当該供給管は、分配管部材１２の分配管２０に合流している。ストラップ３０及び３２を用いて、分配管部材１２と、従って鼻カニューレ１０とが、既知の方法で、患者によって身につけられ、装着され得る。
【００５１】
供給管２６及び２８とストラップ３０及び３２とを含む分配管部材１２は、好ましくは一体的に、例えば射出成形によって形成されている。
【００５２】
供給管２６及び２８は、鼻カニューレ１０の治療作業において、供給管の分配管２０から離れた長手方向端部２６ａ又は２８ａで、患者の鼻孔に近づけられているか、又は、鼻孔を通って患者の鼻腔に進入している。
【００５３】
分配管部材１２は、直線状の分配軌道Ｖを供給管２６と供給管２８との間隔の中央で直角に切断する対称面Ｓに関して、鏡面対称に構成されている（図２を参照）。この鏡面対称の構成は、連結開口部２２及び２４が同一の構成を有し、従って、いずれもストッパ１４としてもコネクタ１６としても利用可能であるという利点を有している。
【００５４】
図１に示された分解図では、鼻カニューレ１０は、鼻カニューレ１０を装着した患者の左側からガスを供給するように構成されている。連結開口部２４は、従って、供給開口部２４である。
【００５５】
連結開口部２２を通る、分配管２０からの治療用ガスの望ましくない流出を回避するために、ストッパ１４が、分配管２０内に配置するために、連結開口部２２を通って配置され、設けられている。従って、連結開口部２２は、封止開口部２２を形成している。
【００５６】
好ましくは一体的に構成された、射出成形によって製造されたストッパ１４は、その一方の長手方向端部に把持突起３４を有しており、当該把持突起は、ストッパディスク３６から突出しており、当該ストッパディスクは、連結開口部２２の内法横断面面積よりも大きな面積を有している。従って、ストッパディスク３６は、連結開口部２２の縁部から突出しており、分配管２０にストッパ１４が過度に挿入されることを物理的に防止している。ストッパディスク３６は、鼻カニューレ１０の動作可能な状態においては、連結開口部２２を画定する分配管部材１２の縁部に接しており、分配管部材１２と共に機械的なストッパを形成している。
【００５７】
ストッパディスク３６の把持突起３４と反対の側には、固定溝３８が構成されており、当該固定溝には、鼻カニューレ１０の動作可能な状態において、分配軌道Ｖの周りを取り巻いている分配管部材１２の径方向突起４０が、固定するように係合している（図２を参照）。径方向突起４０と固定溝３８とは、克服可能な形状接続固定係合を形成しており、これによって、例えば分配管２０内に存在する治療用ガスフローによる、ストッパ１４の分配管部材１２からの望ましくない解除が防止される。
【００５８】
固定溝３８には、ストッパ１４の挿入長手方向端部１４ａに向かう方向において、フロー誘導構造４２が接続されている。フロー誘導構造４２は、その把持突起３４から離れる方向の側において、フロー誘導面４４によって限定されており、フロー誘導面４４は、ストッパ１４が分配管部材１２に分配軌道Ｖに沿って連結開口部２２を通って挿入されている場合、分配管２０のフロー空間を画定する壁を形成する。フロー誘導面４４には、治療作業中、患者に治療用ガスを供給するためにコネクタ１６から流出した治療用ガスが流れてくる。
【００５９】
第１の実施例では、フロー誘導面４４は単軸に、具体的には専ら、分配軌道Ｖに直交して配置されている湾曲軸の周りで湾曲している。例示的な湾曲軸Ｋが図１に示されている。図示された実施例では、フロー誘導面４４は湾曲軸Ｋに沿って湾曲していない。つまり、フロー誘導面４４は、分配軌道Ｖに直交する切断面において直線状の境界線を有している。
【００６０】
図１に示された第１の実施例では、フロー誘導面４４は、異なる種類の湾曲を有する３つの領域を備えている。つまり、挿入長手方向端部１４ａに最も近い、凹形の湾曲を有する領域４４ａと、分配軌道Ｖに沿って領域４４ａに接続された、凸形の湾曲を有する領域４４ｂと、領域４４ｂに接続された、凹形の湾曲を有する第３の領域４４ｃと、である。従って、フロー誘導面４４は、２つの凹形の湾曲領域４４ａ及び４４ｃと、分配軌道Ｖに沿って、当該湾曲領域間に位置する凸形の湾曲領域４４ｂと、を有している。凹形の湾曲領域４４ｃが供給管２６（又は、連結開口部２２若しくは２４のいずれを通じてストッパ１４が分配管２０に挿入されるかに応じて、供給管２８も）に近づくにつれて、第３の湾曲領域４４ｃの湾曲は大きくなり、つまり、その曲率半径は小さくなる。これは、図１に示された例において、まず軸方向に、分配軌道Ｖに沿って流れている治療用ガスフローの、ストッパ１４のフロー誘導面４４に割り当てられた供給管２６への、損失及び騒音の少ない方向転換に資するものである。
【００６１】
ストッパ１４は、連結開口部２２及び２４のいずれを通っても、同じフロー誘導作用を有して分配管２０内に配置され得るように、分配軌道Ｖに対して平行かつ湾曲軸Ｋに対して直角な対称面に関して対称である。
【００６２】
図１に示された例では、コネクタ１６は、挿入部分１６ａで、連結開口部２４を通って、分配管部材１２の分配管２０に挿入可能である。反対側の接続部分１６ｂでは、供給ホース１８を接続することが可能であり、特に螺合可能である。
【００６３】
部分１６ａと部分１６ｂとの間では、コネクタ１６がストッパリング４６を有しており、当該ストッパリングは、連結開口部２４を画定する分配管部材１２の縁部から径方向に突出し、コネクタ１６の分配管２０への挿入深度を限定している。挿入部分１６ａとストッパリング４６との間では、コネクタ１６も、固定溝４８を有しており、当該固定溝には、分配軌道Ｖの周りを取り巻いている固定突起５０が、連結開口部２４に近い方の分配管部材１２の端部領域で、鼻カニューレ１０の動作可能な状態において、克服可能な形状接続固定係合を形成するために係合する。
【００６４】
図２には、図１に係る鼻カニューレ１０が、分配軌道Ｖを含む切断面に沿った縦断面図で示されている。図２には、分配管部材１２の鏡面対称面Ｓが示されている。鏡面対称面Ｓは、分配軌道Ｖ及び図２の投影面に直交している。
【００６５】
鼻カニューレ１０の縦断面の切断面は、分岐開口部２６ｂ又は２８ｂを貫通しており、当該分岐開口部を始点として、供給管２６及び２８が、分配管１２から離れる方向に延在している。分岐開口部２６ｂ及び２８ｂは、上述の対称条件に基づいて、同じ横断面面積を有しているので、基本的に、患者の両方の鼻孔への同じ治療用ガス質量流の、供給管２６及び２８を通じた対称な供給が可能である。コネクタ１６の内側面５２は、ストッパ１４のフロー誘導面４４と共に、フローを誘導する連続的な面５４を形成している。内側面５２とフロー誘導面４４とは、同一平面上で互いの内に移行する。
【００６６】
図２においてさらに認識されることに、ストッパ１４のフロー誘導面４４は、図２の投影面に直交する方向において湾曲しておらず、これは図１に関してすでに言及されたことである。
【００６７】
凹形の部分４４ｃは、ストッパ１４が正しく設置されている場合には、ストッパ１４に最も近く、それゆえに割り当てられている分岐開口部２６ｂの縁部で終端している。フロー誘導面４４と、その内特に凹形の部分４４ｃとは、分岐開口部２６ｂの長手方向延在領域に存在している。
【００６８】
フロー誘導面４４は、分配軌道Ｖに沿って、分岐開口部２８ｂの長手方向延在領域内にまで延在している。従って、フロー誘導面４４の凸形の部分４４ｂは、大部分又は全体までもが、分配軌道Ｖに沿った長手方向において、分岐開口部２６ｂと分岐開口部２８ｂとの間に存在する。
【００６９】
図２から明らかであるように、ストッパ１４とコネクタ１６とは、分配管部材１２においてその位置を問題なく交換することができる可能性があり、その場合には、供給管２６及び２８の長手方向端部２６ａ及び２８ａを通じた、左右逆の治療用ガスの供給が行われる可能性がある。
【００７０】
図２に示された構成によって、供給開口部２４から治療用ガスが流れてくる場合、治療用ガスは、供給管２６及び２８を概ね対称に貫流し、すなわち略同じ治療用ガス質量流で、両方の供給管２６及び２８を貫流する。
【００７１】
図２では、連結開口部２２における径方向突起４０は、完全に一周するようには図示されていない。なぜなら、分配管２０を画定している分配管部材１２の壁の下側には、分配軌道Ｖに沿って延在し、分配軌道Ｖに向かって径方向内側に突出した径方向突起５６が、方向付け相手側構造として構成されているからである。径方向突起５６は、ストッパ１４内の方向付け構造である補完的な凹所５８に係合している。図示された配置状況では、凹所の形状の方向付け構造５８も、径方向突起の形状の方向付け相手側構造５６も、分配軌道Ｖに向かって径方向において、及び、連結開口部２２を始点として分配管２０の長手方向中央に向かって軸方向において、先細になっている。これによって、連結開口部２２から（又は、分配管部材１２若しくは少なくとも分配管２０の鏡面対称な構成ゆえに、連結開口部２４からも）分配管部材内にストッパ１４を挿入することが容易になる。
【００７２】
方向付け構造５８と方向付け相手側構造５６との間の、分配軌道Ｖに沿った些細ではない軸方向長さにわたる形状接続係合によって、ストッパ１４が、所定の相対的方向付けにおいてのみ、分配管部材１２に挿入可能であり、これによって、フロー誘導面４４が、分岐開口部２６ｂ及び２８ｂに関して正しく配置されていることが確実化される。
【００７３】
分配管部材１２は、鏡面対称な構成ゆえに、連結開口部２４の長手方向端部領域においても、径方向突起の形状における配置相手側構造６０を有しており、当該径方向突起は、凹所の形状におけるコネクタの配置構造６２に係合している。やはり、凹所６２も径方向突起６０も、径方向において分配軌道Ｖに向かって先細になり、連結開口部２４を始点として、分配管部材１２の長手方向中央に向かって軸方向において先細になるように構成されている。当該構成によって、分配管部材１２内でのコネクタ１６の正しい配置と、分配軌道Ｖの周りでの分配管２０に対するコネクタ１６の回転防止とがもたらされる。この点では、方向付け相手側構造５６と配置相手側構造６０とは、鏡面対称な形状と、同じ機能又は作用とを有している。同じことは、一方での方向付け構造５８と、他方での配置構造６２と、に関しても当てはまる。
【００７４】
分配管部材１２は、ストッパ１４及びコネクタ１６よりも柔軟な材料から形成されている。従って、分配管部材１２の材料は、ストッパ１４及びコネクタ１６の材料よりも低い弾性係数を有している。これによっても、ストッパ１４及びコネクタ１６の分配管部材１２への挿入と、固定突起４０又は５０及び割り当てられた固定溝３８又は４８の間における形状接続固定係合の形成と、同様に、一方での構造５８及び６２と他方での相手側構造５６及び６０との間における形状接続係合の形成とが容易になる。
【００７５】
図３には、鼻カニューレ１１０の第２の実施形態が、図１に係る鼻カニューレ１０と同じ縦断面において示されている。
【００７６】
図３に係る第２の実施形態では、図１及び図２に係る第１の実施形態と同じ部材、及び、機能が同じ部材には、同じ参照符号に１００を加えた参照符号が付されている。
【００７７】
以下において、図３に係る第２の実施形態には、図１及び図２に係る第１の実施形態とは異なる点に関してのみ言及する。その他の点については、図３に係る第２の実施形態を説明するためにも、第１の実施形態に関する説明が参照される。
【００７８】
分配管部材１１２、コネクタ１１６及び供給ホース１１８は、第１の実施形態における部材１２、１６又は１８と同一である。ただ、鼻カニューレ１１０の第２の実施形態のストッパ１１４のみが、第１の実施形態のストッパ１４とは異なっている。
【００７９】
一方では、第２の実施形態においては、フロー誘導面１４４は、分配軌道Ｖに沿って凹形にのみ湾曲しており、つまり、唯一の凹形の面部分１４４ａを有している。当該面部分は、ストッパ１１４の挿入長手方向端部１１４ａから、ストッパ１１４に割り当てられた分岐開口部１２６ｂまで延在している。しかしながら、分配軌道Ｖに直交する湾曲軸の周りで凹形に湾曲した唯一の部分１４４ａに関しても、挿入長手方向端部１１４ａから離れるにつれて、及び、割り当てられた分岐開口部１２６ｂに近づくにつれて、湾曲が増大する、つまり、付属する曲率半径がより小さくなる、ということが当てはまる。
【００８０】
同時に、フロー誘導面１４４は、分配軌道Ｖに沿って延在するさらなる湾曲軸の周りでも、凹形に湾曲している。従って、フロー誘導面１４４は、ストッパ１１４の延在領域において、フロー空間の槽状の縁を形成している。
【００８１】
ストッパ１４に対するストッパ１１４のさらなる明確な差異は、ストッパ１１４の挿入長手方向端部１１４ａにおいて、第１のフロー誘導構造１４２とは別に、第２のフロー誘導面１６６を備えた第２のフロー誘導構造１６４が形成されており、第２のフロー誘導面１６６は、コネクタ１１６又は供給開口部１２４から流れてくる治療用ガスフローに対して露出しており、治療用ガスフローによって湿らされ得るということにある。
【００８２】
第２のフロー誘導面１６６は、２軸で湾曲した第１のフロー誘導面１４４とは異なり、単軸でのみ、つまり分配軌道Ｖに直交する湾曲軸の周りでのみ湾曲している。しかしながら、必ずしも単軸での湾曲でなくともよい。第２のフロー誘導面１６６もまた、分配軌道Ｖに直交する湾曲軸の周りでも、分配軌道Ｖに対して平行な湾曲軸の周りでも湾曲してもよい。第２のフロー誘導面１６６は、分岐開口部１２８ｂの長手方向延在領域にのみ存在しており、従って分岐開口部１２８ｂに割り当てられている。
【００８３】
第２のフロー誘導構造１６４は、第２のフロー誘導構造１６４の配置箇所において、分配管１２０の横断面面積の略半分にわたって延在しているので、第２のフロー誘導構造１６４と、第２のフロー誘導面１６６に割り当てられた分岐開口部１２８ｂと直径上で向かい合っている分配管１２０の壁部分との間には、貫流開口部１６８が残存している。貫流開口部１６８を通って、供給開口部１２４から流れてくる治療用ガスは、第２の流れ誘導構造１６４の側を通過し、第１のフロー誘導面１４４と、従って第１のフロー誘導面１４４に割り当てられた分岐開口部１２６ｂとに到達する。貫流開口部１６８の横断面面積は、第２のフロー誘導構造１６４の配置領域における分配管１２０の横断面面積の略半分に相当する。
【００８４】
第２のフロー誘導構造１６４は、その第２のフロー誘導面１６６で、分配管１２０内を流れる治療用ガスの一部を、意図的に一方の供給管１２８に方向転換させることが可能であり、他方、第１のフロー誘導面１４４は、残りの治療用ガスを、それぞれ他方の供給管１２６に方向転換する。
【００８５】
設けられたフロー誘導面１４４及び１６６によって、治療用ガスを、概ね損失無く、少ない騒音で、極めて意図的に、各分岐開口部１２６ｂ及び１２８ｂに方向転換させることが可能である。
【００８６】
１つかつ同一の分配管部材１２又は１１２に挿入可能である、異なる構成を有するストッパ１４及び１１４によって、鼻カニューレ１０又は１１０を装着する患者に関して、異なる治療状況、特に、分岐開口部１２６ｂ及び１２８ｂと、当該分岐開口部に接続された供給管１２６及び１２８とを通って、所望した通り、意図的に、異なる大きさの治療用ガス質量流が流れるという治療状況が実現可能である。
【００８７】
図４には、第３の実施形態が、図２及び図３に対応する縦断面で示されている。
【００８８】
第１の実施形態と同じ、及び、同じ機能の部材及び部材部分には、第３の実施形態において、同じ参照符号に２００を加えた参照符号が付されている。
【００８９】
以下において、図４に係る第３の実施形態には、第１の実施形態とは異なる点に関してのみ言及する。その他の点については、図４に係る第３の実施形態を説明するためにも、第１の実施形態に関する説明が参照される。
【００９０】
やはり、分配管部材２１２、コネクタ２１６及び供給ホース２１８は、図１及び図２に係る第１の実施形態における同種の部材と同一である。
【００９１】
ストッパ２１４は、第１の実施形態に係るストッパ１４に概ね一致する。唯一のフロー誘導面２４４は、分配軌道Ｖに直交し、図４の投影面に直交して延在する湾曲軸の周りでのみ湾曲している。第１の実施形態のように、フロー誘導面２４４は、湾曲の異なる３つの湾曲領域を有している。つまり、挿入長手方向端部２１４ａに最も近い、凹形の面部分２４４ａと、分配軌道Ｖに沿って面部分２４４ａに接続された、凸形の面部分２４４ｂと、分配軌道Ｖに沿って面部分２４４ｂに接続され、割り当てられた分岐開口部２２６ｂに達するさらなる凹形の面部分２４４ｃと、である。
【００９２】
とは言え、第３の実施形態に係るストッパ２１４のフロー誘導面２４４は、軸方向、すなわち分配軌道Ｖに沿って、第１の実施形態に係るフロー誘導面４４よりも短く構成されている。ストッパ２１４のストッパディスク２３６と挿入長手方向端部２１４ａとの間隔は、第１の実施形態に係るストッパ１４の場合と同じであるので、フロー誘導構造２４２によって、遮断部分２４２ａが形成されており、当該遮断部分は、割り当てられた分岐開口部２２６ｂを部分的に封止し、これによって、分岐開口部２２６ｂは、依然として封止されず、覆われていない他方の分岐開口部２２８ｂよりも小さい、有効なフロー断面を有している。
【００９３】
図４に示した第３の実施形態によって、所望の通り、異なる量の治療用ガスが、時間単位当たり、分配管部材２１２の構造的に同じ大きさの分岐開口部２２６ｂ及び２２８ｂを通って誘導され得るので、患者には、故意かつ意図的に、供給管２２６及び２２８を通じて、異なる大きさの治療用ガス質量流を与えることが可能である。
【００９４】
ストッパ２１４も、ストッパ１１４のように、付加的に第２の流れ誘導構造を有することは、容易に想像できる。
【００９５】
さらに、分岐開口部を通る、異なる大きさの治療用ガス質量流を、第２のフロー誘導構造の貫流開口部（図３の貫流開口部１６８を参照）が、分配管のフロー断面の半分よりも小さく、又は、大きく構成されていることによって形成することが考えられ得る。
【００９６】
これらの、異なる大きさの貫流開口部及びフロー誘導構造２４２の遮断部分２４２ａという手段もまた、共に、１つかつ同一のストッパに適用可能であり、これによって、意図的に、分岐開口部２２６ｂ及び２２８ｂを通る異なる大きさの治療用ガス質量流が形成される。
【００９７】
ストッパ１４、１１４及び２１４の挿入長手方向端部１４ａ、１１４ａ及び２１４ａには、所定の角度領域にわたって、突起又は凹所が構成されていてよく、当該突起は、分配軌道Ｖに対して平行に、挿入長手方向端部から張り出して、コネクタ１６、１１６、２１６の挿入部分１６ａ、１１６ａ、２１６ａの先行する長手方向端部において、凹所内に突出しているか、又は、分配軌道Ｖに対して平行に、挿入長手方向端部によって挿入される凹所内に、コネクタの先行する長手方向端部において、対応する突起が突出し、これによって、ストッパとコネクタとが、それぞれ分配管部材に対するだけではなく、互いに対しても、分配軌道Ｖの周りでの回転から保護される。
【００９８】
図５には、部分的に断面を示して、分配管部材１２が図示されている。当該図面では、特に、分配管２０内の方向付け相手側構造５６と、配置相手側構造６０とが認識できる。加えて、ストッパ１４が、底面図において遠近法を用いて示されているので、方向付け構造５８は、軸方向にも径方向にも先細になっている形状において示されている。対称性ゆえに、コネクタにおける配置構造６２は、同じ形状を有している。
【００９９】
鼻カニューレ１０は、異なるストッパ１４、１１４及び２１４を有することができるので、複数の利用可能なストッパから使用するストッパを選択することによって、具体的な治療状況を作り出すことができる。例えば、容易かつ迅速に構成可能である、治療従事者のための鼻カニューレ治療用キットを供給することが可能である。
【符号の説明】
【０１００】
１０；１１０；２１０  鼻カニューレ
１２；１１２；２１２  分配管部材
１４；１１４；２１４  ストッパ
１４ａ；１１４ａ；２１４ａ  挿入長手方向端部
１６；１１６；２１６  コネクタ
１６ａ；１１６ａ；２１６ａ  挿入部分
１６ｂ  長手方向端部、接続部分
１８；１１８；２１８  供給ホース
２０；１２０；２２０  分配管
２２、２４；１２２、１２４；２２２、２２４  連結開口部
２２；１２２；２２２  封止開口部
２４；１２４；２２４  供給開口部
２６、２８；１２６、１２８；２２６、２２８  供給管
２６ａ、２８ａ  長手方向端部
２６ｂ、２８ｂ；１２６ｂ、１２８ｂ；２２６ｂ、２２８ｂ  分岐開口部
３０、３２  ストラップ
３４  把持突起
３６；２３６  ストッパディスク
３８  固定溝
４０  径方向突起、固定突起
４２；１４２；２４２  第１のフロー誘導構造
２４２ａ  遮断部分
４４；１４４；２４４  第１のフロー誘導面
４４ａ、４４ｃ；１４４ａ；２４４ａ、２４４ｃ  凹形の湾曲領域、凹形の面部分
４４ｂ；２４４ｂ  凸形の湾曲領域、凸形の面部分
４６  ストッパリング
４８  固定溝
５０  固定突起
５２；１５２；２５２  内側面
５４；１５４；２５４  フローを誘導する連続的な面
５６；１５６；２５６  方向付け相手側構造
５８；１５８；２５８  方向付け構造
６０；１６０；２６０  配置相手側構造
６２；１６２；２６２  配置構造
１６４  第２のフロー誘導構造
１６６  第２のフロー誘導面
１６８  貫流開口部
Ｋ  湾曲軸
Ｓ  鏡面対称面
Ｖ  分配軌道
【図１】
2022500149.tif 000003
【図２】
2022500149.tif 000004
【図３】
2022500149.tif 000005
【図４】
2022500149.tif 000006
【図５】
2022500149.tif 000007
【国際調査報告】
2022500149.tif 000008
2022500149.tif 000009
2022500149.tif 000010
2022500149.tif 000011
2022500149.tif 000012
2022500149.tif 000013